(57)【特許請求の範囲】
【請求項１】
一方向に傾斜した床面の最高部に排水トラップが配設され、傾斜した床面の最下部に排水口が形成され、排水口は導管によって排水トラップの封水部に接続されていることを特徴とする浴室ユニットの床パン。
【請求項２】
排水口周囲の床面は、排水トラップの封水面よりも上方に位置決めされていることを特徴とする請求項１に記載の浴室ユニットの床パン。
【請求項３】
排水口周囲の床面は、排水トラップに接続される排水管の内面上端よりも上方に位置決めされていることを特徴とする請求項１又は２に記載の浴室ユニットの床パン。
【発明の詳細な説明】
【０００１】
【産業上の利用分野】
本発明は浴室ユニットの床パンに関するものである。
【０００２】
【従来の技術】
従来の浴室ユニットの床パンにおいては、一方向に傾斜した床面の最下部に排水トラップが配設されていた。
【０００３】
【発明が解決しようとする課題】
従来の浴室ユニットの床パンにおいては、一方向に傾斜した床面の最下部に配設された排水トラップから、建築躯体床面に開口する建築躯体側排水管へ向けて下り勾配の排水管を設置する必要があるため、建築躯体床面からの床パンの設置高さが大になり、ひいては浴室ユニットに隣接する脱衣室の区画から浴室ユニットへ入る際のまたぎ高さが大になり、浴室ユニットの利便性が低下するという問題があった。
本発明は上記問題に鑑みてなされたものであり、浴室ユニットに隣接する脱衣室の区画から浴室ユニットへ入る際のまたぎ高さが、従来の浴室ユニットの床パンに比べて低い、浴室ユニットの床パンを提供することを目的とする。
【０００４】
【課題を解決するための手段】
上記課題を解決するために、本発明においては、一方向に傾斜した床面の最高部に排水トラップが配設され、傾斜した床面の最下部に排水口が形成され、排水口は導管によって排水トラップの封水部に接続されていることを特徴とする浴室ユニットの床パンを提供する。
【０００５】
本発明の好ましい態様においては、排水口周囲の床面は、排水トラップの封水面よりも上方に位置決めされている。
【０００６】
本発明の好ましい態様においては、排水口周囲の床面は、排水トラップに接続される排水管の内面上端よりも上方に位置決めされている。
【０００７】
【作用】
本発明に係る浴室ユニットの床パンにおいては、一方向に傾斜した床面の最下部以外の部位に排水トラップが配設されているので、排水トラップに接続される排水管の中心線の高さ位置は、一方向に傾斜した床面の最下部に排水トラップが配設された従来の浴室ユニットの床パンに比べて高い。
【０００８】
従って、本発明に係る浴室ユニットの床パンにおいては、排水トラップに接続される排水管の中心線の高さ位置を、従来の浴室ユニットの床パンと同一に設定する場合には、建築躯体床面からの床パンの設置高さを従来の浴室ユニットの床パンよりも低くすることができ、ひいては、浴室ユニットに隣接する脱衣室の区画から浴室ユニットへ入る際のまたぎ高さを、従来の浴室ユニットの床パンに比べて低くすることができる。
床面を流れる雑排水は、傾斜した床面の最下部に形成された排水口と導管とを通って、排水トラップの封水部へ流入し、排水トラップに接続された排水管を通って排出される。
【０００９】
本発明に係る浴室ユニットの床パンにおいては、排水トラップが、一方向に傾斜した床面の最高部に配設されているので、建築躯体床面からの床パンの設置高さが最小となり、浴室ユニットに隣接する脱衣室の区画から浴室ユニットへ入る際のまたぎ高さが最小となる。
【００１０】
排水口周囲の床面が、排水トラップの封水面よりも上方に位置決めされている場合には、排水口周囲の床面に雑排水が溢れる事態が確実に防止される。
【００１１】
排水口周囲の床面が、排水トラップに接続される排水管の端部内面頂部よりも上方に位置決めされている場合には、浴槽からの排水等、一時的に多量の排水がなされる場合でも、排水口周囲の床面に雑排水が溢れる事態が確実に防止される。
【００１２】
【実施例】
本発明の第１実施例を、図１〜図４に基づいて説明する。
建築躯体床面Ａ上に設置された浴室ユニットの床パン１は、洗い場部床面２ａと浴室載置部床面２ｂとから構成される床面２を有している。床面２は、一側Ｂから、対峙する一側Ｃへ向かって一方向に下り勾配で傾斜している。洗い場部床面２ａの一側Ｂ、即ち最高部に、ベルトラップ型、逆わんトラップ型等の排水トラップ３が配設されている。洗い場部床面２ａの一側Ｃ、即ち最下部と、浴室載置部床面２ｂの一側Ｃ、即ち最下部とに、排水口４が形成されている。排水口４は導管５によって排水トラップ３の封水部３ａに接続されている。導管５は、排水口４から排水トラップ３へ向かって下り傾斜で配設されても良く、或いは、水平に配設されても良い。
浴室載置部床面２ｂの最高部に形成された浴槽用排水口６が導管７によって排水トラップ３の封水部３ａに接続されている。導管７は、浴槽用排水口６から排水トラップ３へ向かって下り傾斜で配設されても良く、或いは、水平に配設されても良い。
排水トラップ３に接続された排水管８が、建築躯体床面Ａに開口する建築躯体側排水管Ａ１  へ向かって下り勾配で延びている。
排水口４周囲の洗い場部床面２ａ１  と浴室載置部床面２ｂ１  とは、排水トラップ３の封水面Ｗよりも上方に位置決めされている。排水口４周囲の洗い場部床面２ａ１  と浴室載置部床面２ｂ１  とは、排水トラップ３に接続された排水管８の端部内面頂部８ａよりも上方に位置決めされている。
【００１３】
上記構成を有する浴室ユニットの床パン１においては、洗い場部床面２ａと浴室載置部床面２ｂとを流れる雑排水は、一側Ｂから一側Ｃへ向かって一方向に傾斜した洗い場部床面２ａ、浴室載置部床面２ｂの最下部に形成された排水口４と導管５とを通って、排水トラップ３の封水部３ａへ流入し、排水トラップ３に接続された排水管８を通って排出される。
浴室ユニットの床パン１においては、一側Ｂから一側Ｃへ向かって一方向に傾斜した洗い場部床面２ａの最下部以外の部位に排水トラップ３が配設されているので、排水トラップ３に接続される排水管８の中心線Ｘの高さ位置は、図４で二点鎖線で示す、傾斜した洗い場部床面２ａの最下部に配設された排水トラップ３′から延びる、従来の浴室ユニットの床パンの排水管８′の中心線Ｘ′の高さに比べて高い。従って、浴室ユニットの床パン１においては、排水トラップ３に接続される排水管８の中心線Ｘの高さ位置を、従来の浴室ユニットの床パンの排水トラップ３′に接続される、排水管８′の中心線Ｘ′の高さ位置と同一に設定する場合には、建築躯体床面Ａからの床パン１の設置高さを従来の浴室ユニットの床パンよりも低くすることができ、ひいては、脱衣室等の浴室ユニット１に隣接する区画から浴室ユニット１へ入る際のまたぎ高さを、従来の浴室ユニットの床パンに比べて低くすることができる。
【００１４】
浴室ユニットの床パン１においては、排水トラップ３は、傾斜した洗い場部床面２ａの最高部に配設されているので、建築躯体床面Ａからの床パン１の設置高さが最小となり、脱衣室等の浴室ユニット１に隣接する区画から浴室ユニット１へ入る際のまたぎ高さが最小となる。
排水口４周囲の洗い場部床面２ａ１  、浴室載置部床面２ｂ１  が、排水トラップ３の封水面Ｗよりも上方に位置決めされているので、浴槽排水等により排水トラップ３の封水面Ｗが一時的に上昇しても、排水口４周囲の洗い場部床面２ａ１  、浴室載置部床面２ｂ１  に雑排水が溢れるおそれは無い。
排水口４周囲の洗い場部床面２ａ１  、浴室載置部床面２ｂ１  が、排水トラップ３に接続される排水管８の端部内面頂部８ａよりも上方に位置決めされているので、浴槽排水等、一時的な多量の排水により、排水管８が満流状態となる場合でも、排水口４周囲の洗い場部床面２ａ１  、浴室載置部床面２ｂ１  に雑排水が溢れるおそれは無い。
【００１５】
本発明の参考例を、図５に基づいて説明する。
本参考例に係る浴室ユニットの床パン１１においては、中央部１２ａから対峙する２つの縁部１２ｂ、１２ｃへ向かって下り勾配で傾斜した床面１２の、一方の縁部１２ｂにランニングトラップ型、ボトルトラップ型等の排水トラップ１３が配設され、他方の縁部１２ｃに排水口１４が形成されている。排水口１４は導管１５によって排水トラップ１３の封水部１３ａに接続されている。排水トラップ１３に接続された排水管１８が、建築躯体床面Ａに開口する建築躯体側排水管へ向かって下り勾配で延びている。
【００１６】
上記構成を有する浴室ユニットの床パン１１においては、床面１２を流れる雑排水は、一方の縁部１２ｂに配設された排水トラップ１３に直接流入し、或いは、他方の縁部１２ｃに形成された排水口１４と導管１５とを通って、排水トラップ１３の封水部１３ａへ流入し、排水トラップ１３に接続された排水管１８を通って排出される。
【００１７】
浴室ユニットの床パンにおいては、ドア載置部は、床面の最高部と同一高さ位置に、或いはより高い位置に配設される。浴室ユニットの床パン１１においては、床面１２が中央部１２ａから対峙する２つの縁部１２ｂ、１２ｃへ向かって下り勾配で傾斜しているので、床面１２の傾斜が従来の床パンと同一の場合、床パンの床面最下部１２ｂ、１２ｃから床面最高部までの高さは、図５で一点鎖線で示す、従来の一方向に傾斜した床面を有する床パンの床面最低部から床面最高部までの高さよりも小さい。従って、浴室ユニットの床パン１１においては、床パンの床面最下部１２ｂ、１２ｃからドア載置部１２ｄまでの高さｈは、図５で一点鎖線で示す、従来の一方向に傾斜した床面を有する床パンの床面最低部からドア載置部までの高さＨよりも小さい。従って、浴室ユニットの床パン１１においては、排水トラップ１３に接続される排水管１８の中心線Ｙの高さ位置を、従来の浴室ユニットの床パンと同一に設定する場合には、床パン１１のドア載置部１２ｄの建築躯体床面Ａからの高さを従来の浴室ユニットの床パンよりも低くすることができる。この結果、浴室ユニットの床パン１１においては、浴室ユニットに隣接する脱衣室の区画から浴室ユニットへ入る際のまたぎ高さを、従来の浴室ユニットの床パンに比べて低くすることができる。
【００１８】
浴室ユニットの床パン１１において、排水口１４用の開口と、排水トラップ１３用の開口とを同一形状同一寸法としても良い。この場合には、図５において左側に浴室ドアが配設される場合には、右側の開口に排水トラップ１３を取付け、左側の開口を排水口１４として使用し、図５において右側に浴室ドアが配設される場合には、左側の開口に排水トラップ１３を取付け、右側の開口を排水口１４として使用することにより、床パン１１を、右勝手の浴室にも、左勝手の浴室にも使用できる。この結果、左勝手用の床パンと、右勝手用の床パンとを別個に製造する必要が無くなるというメリットが生ずる。また、建築躯体内に形成された図示しないパイプシャフトに近い方の開口に排水トラップ１３を取り付けることにより、排水管１８の延在長さを短縮し、ひいては、床パン１１の設置高さを低くし、浴室ユニットへ入る際のまたぎ高さを低くすることができる。
【００１９】
浴室ユニットの床パン１１を、中央部１２ａを挟んで、より具体的には、中央部１２ａを通る稜線を挟んで対称構造に形成しても良い。この場合には、床面１２の傾斜が前記稜線を挟んで対称となり、浴室使用者に与える違和感が無くなる。この結果、入浴時の快適感が増大する。
【００２０】
上記参考例においては、床面１２は、中央部を稜線とした単一の山形に形成されていたが、図６に示すように、床面２２を、畝状に複数の山型の傾斜部２２ａが形成された形状とし、何れか１つの谷部２２ｂに排水トラップ２３を配設し、他の各谷部２２ｂに排水口２４を形成し、導管２５を介して各排水口２４を排水トラップ２３の封水部に接続しても良い。この場合には、上記参考例の床パン１１のように床面に一つの山が形成されている場合よりも、床面に形成された各山の高さが低くなり、ひいては、床パンのドア載置部２２ｃの建築躯体床面Ａからの高さが低くなり、浴室ユニットに隣接する脱衣室の区画から浴室ユニットへ入る際のまたぎ高さが低くなる。
床面２２を流れる雑排水は、排水トラップ２３に直接流入し、或いは、排水口２４と導管２５とを通って、排水トラップ２３の封水部へ流入し、排水トラップ２３に接続された排水管２８を通って排出される。
【００２１】
【効果】
本発明に係る浴室ユニットの床パンにおいては、一方向に傾斜した床面の最下部以外の部位に排水トラップが配設されているので、排水トラップに接続される排水管の中心線の高さ位置は、一方向に傾斜した床面の最下部に排水トラップが配設された従来の浴室ユニットの床パンに比べて高い。従って、本発明に係る浴室ユニットの床パンにおいては、排水トラップに接続される排水管の中心線の高さ位置を、従来の浴室ユニットの床パンと同一に設定する場合には、建築躯体床面からの床パンの設置高さを従来の浴室ユニットの床パンよりも低くすることができ、ひいては、浴室ユニットに隣接する脱衣室の区画から浴室ユニットへ入る際のまたぎ高さを、従来の浴室ユニットの床パンに比べて低くすることができる。
【００２２】
本発明に係る浴室ユニットの床パンにおいては、排水トラップが、一方向に傾斜した床面の最高部に配設されているので、建築躯体床面からの床パンの設置高さが最小となり、浴室ユニットに隣接する脱衣室の区画から浴室ユニットへ入る際のまたぎ高さが最小となる。
【００２３】
また本発明の参考例に係る浴室ユニットの床パンにおいては、床面が中央部から対峙する２つの縁部へ向かって下り勾配で傾斜しているので、床面の傾斜が従来の床パンと同一の場合、本発明の参考例に係る浴室ユニットの床パンの床面最低部からドア載置部までの高さは、従来の一方向に傾斜した床面を有する床パンの床面最低部からドア載置部までの高よりも小さい。従って、本発明の参考例に係る浴室ユニットの床パンにおいては、排水トラップに接続される排水管の中心線の高さ位置を、従来の浴室ユニットの床パンと同一に設定する場合には、床パンのドア載置部の建築躯体床面からの高さを従来の浴室ユニットの床パンよりも低くすることができる。この結果、本発明の参考例に係る浴室ユニットの床パンにおいては、浴室ユニットに隣接する脱衣室の区画から浴室ユニットへ入る際のまたぎ高さを、従来の浴室ユニットの床パンに比べて低くすることができる。
【００２４】
前段の排水トラップが、中央部を通る稜線を挟んで対称構造に形成されている場合には、床面の傾斜が稜線を挟んで対称となり、浴室使用者に与える違和感が無くなる。この結果、入浴時の快適感が増大する。
【００２５】
また本発明の他の参考例に係る浴室ユニットの床パンにおいては、床面に畝状に複数の山型の傾斜部が形成されているので、床面が中央部から対峙する２つの縁部へ向かって下り勾配で傾斜している場合よりも、床パンのドア載置部の建築躯体床面からの高さを更に低くすることができ、浴室ユニットに隣接する脱衣室の区画から浴室ユニットへ入る際のまたぎ高さを更に低くすることができる。
【００２６】
排水口周囲の床面が、排水トラップの封水面よりも上方に位置決めされている場合には、排水口周囲の床面に雑排水が溢れる事態が確実に防止される。
【００２７】
排水口周囲の床面が、排水トラップに接続される排水管の端部内面頂部よりも上方に位置決めされている場合には、浴槽からの排水等、一時的に多量の排水がなされる場合でも、排水口周囲の床面に雑排水が溢れる事態が確実に防止される。
【図面の簡単な説明】
【図１】本発明の第１実施例に係る浴室ユニットの床パンの平面図である。
【図２】図１のＩＩ−ＩＩ矢視図である。
【図３】図１のＩＩＩ−ＩＩＩ矢視図である。
【図４】図１の線ＩＶ−ＩＶに沿った断面図である。
【図５】本発明の参考例に係る浴室ユニットの床パンの、図４に相当する断面図である。
【図６】本発明の他の参考例に係る浴室ユニットの床パンの、図４に相当する断面図である。
【図１】
0003588787.tif 000002
【図２】
0003588787.tif 000003
【図３】
0003588787.tif 000004
【図４】
0003588787.tif 000005
【図５】
0003588787.tif 000006
【図６】
0003588787.tif 000007